(57)【要約】【課題】プリント基板をネジ止めする、ビス点数を減らす。【解決手段】２枚の基板をシャーシに固定する基板固定構造において、同シャーシから厚み方向に延設し、上記基板の厚み方向を同シャーシの厚み方向と同一になるよう固定する固定部対を有し、上記固定部対は、上記２枚の基板を上記シャーシの厚み方向に段違いに挿入しつつ、一方の基板の挿入方向を他方の基板の挿入方向と略反対になるよう形成した二つの溝を有し、上記溝は、同溝に挿入される上記２枚の基板の端部が断面上で重なるよう溝の深さを有し、上記挿入された２枚の基板が重なる位置を共締めするようネジが貫通する貫通穴を有する。【選択図】図２
2007180751.tif 000002
【特許請求の範囲】
【請求項１】
映像を表示する液晶パネルと、
音声を出力するスピーカと、
チューナが受信するテレビジョン放送から映像信号と音声信号を生成し、上記映像信号を液晶パネルに出力し、上記音声信号をスピーカに出力するディジタル処理を行う複数の回路を実装する第一の基板と、
外部電源を基に必要な電源を供給する電源回路を実装する第二の基板と、
上記液晶パネルのビューエリアを取り囲むように正面側と側面側に金属製の枠部が配置されつつ背面側を金属製のシールドパネルにて覆われたメインフレームと、 
上記メインフレームの補強として、上記液晶パネルの背面側に位置し同メインフレームにネジ止めされる柱状のサブフレーム対と、
上記第一の基板と第二の基板とを固定して上記液晶パネルの背面側に位置するよう上記メインフレームにネジ止めされるシャーシと、
上記液晶パネルと上記シャーシとを固定した上記メインフレームと、上記スピーカとを収容する筐体とを具備する液晶テレビジョンにおいて、
上記シャーシは、
同シャーシから厚み方向に延設し上記第一の基板と上記第二の基板との厚み方向が同シャーシの厚み方向と同一になるよう横並びに配置しつつ、上記第一の基板と上記第二の基板とが隣接する辺をネジ止めする固定部対と、
上記固定部対にてネジ止めされない端部をネジ止めする４個の固定台座とを有し、
上記固定部対は、
上記シャーシの厚み方向に所定長だけ延設する第一の基部と、
上記第一の基部の上記シャーシから延設する先端にて上記シャーシと略水平に所定長だけ延設する第二の基部と、
上記第二の基部の上記第一の基部から延設する先端から厚み方向に延設する第三の基部と、
上記第三の基部の上記第二の基部から延設する先端から上記シャーシと略水平に延設しつつ、上記第二の基部と第三の基部とともに上記第一の基板を挿入する第一の溝を形成する第四の基部と、
上記第四の基部の上記第三の基部から延設する先端から厚み方向に延設する第五の基部と、
上記第五の基部の上記第四の基部から延設する先端から上記シャーシと略水平に延設しつつ、上記第四の基部と上記第五の基部とともに上記第二の基板を挿入するための第二の溝を形成する第六の基部とから形成され、
上記第一の溝に挿入される上記第一の基板の端部と上記第一の基板と略反対方向から上記第二の溝に挿入される上記第二の基板の端部とが、段違いに重なるよう上記第一の溝と上記第二の溝とが形成され、
上記固定部対に挿入される上記第一の基板の端部と上記第二の基板の端部とが重なる位置を共締めするよう上記第二の基部と上記第四の基部と上記第六の基部とにネジが貫通する貫通穴を有し、
上記第二の基部と上記第六の基部を貫通する貫通穴は、上記第一の基板と上記第二の基板とを共締めするネジと螺合するための雌ネジを有し、
上記固定台座は、
上記シャーシの厚み方向から延設した第七の基部と、
上記第七の基部の先端から上記シャーシと略水平に所定長だけ延設し、上記第一の基板と第二の基板をネジにて固定するためのネジ穴を有する第八の基部とから形成され、
上記第二の基板は、
上記固定部対の第二の溝に挿入される端部の間に幅方向に突出して電気信号を入出力する凸部を有し、
上記第二の溝に挿入する先端の角が同第二の溝の凹部と干渉しないよう同第二の基板の先端の角が面取りされ、
上記第一の基板は、
上記第一の溝に挿入する先端の角が同第一の溝の凹部と干渉しないよう同第一の基板の先端の角が面取りされ、
上記第一の溝に挿入される端部の間に上記第二の基板の凸部が挿入する開口部を有し、上記凸部を同開口部に挿入することで電気的に接続するメスコネクタを供え、
上記固定部対で上記第一の基板と上記第二の基板を厚み方向に段違いにネジ止めした際、上記メスコネクタは、上記固定部対にてネジ止めされた上記第二の基板の凸部が同メスコネクタの開口部に挿入するよう配置されることを特徴とする液晶テレビジョン。
【請求項２】
２枚の基板をシャーシに固定する基板固定構造において、
同シャーシから厚み方向に延設し、上記基板の厚み方向を同シャーシの厚み方向と同一になるよう固定する固定部対を有し、
上記固定部対は、
上記２枚の基板を上記シャーシの厚み方向に段違いに挿入しつつ、一方の基板の挿入方向を他方の基板の挿入方向と略反対になるよう形成した二つの溝を有し、
上記２つの溝は、同溝に挿入される上記２枚の基板の端部が重なるよう形成され、
上記挿入された２枚の基板が重なる位置を共締めするようネジが貫通する貫通穴を有することを特徴とする基板固定構造。
【請求項３】
上記２枚の基板は、
上記固定部対にてネジ止めされる端部の間に同基板の幅方向に突出して電気信号を入出力する凸部を有する基板と、
上記固定部対にてネジ止めされる端部の間に上記凸部を同基板の厚み方向に挿入する開口部を有し基板からの電気信号を上記凸部に入出力するメスコネクタを有する基板とであって、
上記２枚の基板が上記固定部対にて厚み方向に段違いにネジ止めされた際、上記メスコネクタは、上記固定部対にネジ止めされる基板の上記凸部が同メスコネクタの開口部に挿入される位置に配置されることを特徴とする請求項２に記載の基板固定構造。
【請求項４】
上記基板は、上記溝に挿入する先端の角が上記溝の凹部と干渉しないよう同基板の先端の角が面取りされていることを特徴とする請求項２または請求項３に記載の基板固定構造。
【発明の詳細な説明】
【技術分野】
【０００１】
本発明は、基板固定構造、および液晶テレビジョンに関し、特に、基板をシャーシの所定の位置に固定する基板固定構造、上記基板固定構造を使用した液晶テレビジョンに関する。
【背景技術】
【０００２】
抵抗やダイオード等の素子を実装したプリント基板、およびワンチップマイコンが組み込まれたプリント基板は、様々な分野で使用されている。ＩＣ等の技術革新により基板の小型化は進んではいるもののユーザの求める機能の多様化により、多くの製品が筐体の中に複数の基板を実装している。
【０００３】
上記した筐体の中に複数の基板を固定する場合、基板をシャーシにネジ止めする必要がある。例えば、複数の基板を重ねて配置するのに、基板間の空間を形成する接続金具の足の形状を工夫して、特別な工具なしに複数の基板を重ねて固定する方法が知られている（例えば特許文献１参照。）
【０００４】
また、取り付け金具を用いて、基板の厚み方向が同一になるよう基板同士を固定する方法が知られている（例えば特許文献２参照。）。
【特許文献１】特開２００２−３２９９４２号
【特許文献２】特開２００２−００９４１４号
【発明の開示】
【発明が解決しようとする課題】
【０００５】
上述した特許文献１の発明は、次のような課題があった。つまり、複数の基板を重ねて配置するため、基板と基板の間に放熱による熱がこもり基板に実装される素子の動作を阻害していた。
【０００６】
また、特許文献２の発明は、次のような課題があった。つまり、特許文献２の発明は基板同士を固定するものであり、筐体に基板を固定するものではないためシャーシに固定する際にはネジ止めする必要があった。
【０００７】
本発明は上記課題にかんがみてなされたもので、ネジの使用を減らして簡易な構造で複数の基板をシャーシに固定することが可能な基板固定構造、および液晶テレビジョンの提供を目的とする。
【課題を解決するための手段】
【０００８】
上記課題を解決するために、請求項１に記載の発明は、映像を表示する液晶パネルと、音声を出力するスピーカと、チューナが受信するテレビジョン放送から映像信号と音声信号を生成し、上記映像信号を液晶パネルに出力し、上記音声信号をスピーカに出力するディジタル処理を行う複数の回路を実装する第一の基板と、外部電源を基に必要な電源を供給する電源回路を実装する第二の基板と、上記液晶パネルのビューエリアを取り囲むように正面側と側面側に金属製の枠部が配置されつつ背面側を金属製のシールドパネルにて覆われたメインフレームと、 上記メインフレームの補強として、上記液晶パネルの背面側に位置し同メインフレームにネジ止めされる柱状のサブフレーム対と、上記第一の基板と第二の基板とを固定して上記液晶パネルの背面側に位置するよう上記メインフレームにネジ止めされるシャーシと、上記液晶パネルと上記シャーシとを固定した上記メインフレームと、上記スピーカとを収容する筐体とを具備する液晶テレビジョンにおいて、
上記シャーシは、同シャーシから厚み方向に延設し上記第一の基板と上記第二の基板との厚み方向が同シャーシの厚み方向と同一になるよう横並びに配置しつつ、上記第一の基板と上記第二の基板とが隣接する辺をネジ止めする固定部対と、上記固定部対にてネジ止めされない端部をネジ止めする４個の固定台座とを有し、
上記固定部対は、上記シャーシの厚み方向に所定長だけ延設する第一の基部と、上記第一の基部の上記シャーシから延設する先端にて上記シャーシと略水平に所定長だけ延設する第二の基部と、上記第二の基部の上記第一の基部から延設する先端から厚み方向に延設する第三の基部と、上記第三の基部の上記第二の基部から延設する先端から上記シャーシと略水平に延設しつつ、上記第二の基部と第三の基部とともに上記第一の基板を挿入する第一の溝を形成する第四の基部と、上記第四の基部の上記第三の基部から延設する先端から厚み方向に延設する第五の基部と、上記第五の基部の上記第四の基部から延設する先端から上記シャーシと略水平に延設しつつ、上記第四の基部と上記第五の基部とともに上記第二の基板を挿入するための第二の溝を形成する第六の基部とから形成され、上記第一の溝に挿入される上記第一の基板の端部と上記第一の基板と略反対方向から上記第二の溝に挿入される上記第二の基板の端部とが、段違いに重なるよう上記第一の溝と上記第二の溝とが形成され、上記固定部対に挿入される上記第一の基板の端部と上記第二の基板の端部とが重なる位置を共締めするよう上記第二の基部と上記第四の基部と上記第六の基部とにネジが貫通する貫通穴を有し、上記第二の基部と上記第六の基部を貫通する貫通穴は、上記第一の基板と上記第二の基板とを共締めするネジと螺合するための雌ネジを有し、
上記固定台座は、上記シャーシの厚み方向から延設した第七の基部と、上記第七の基部の先端から上記シャーシと略水平に所定長だけ延設し、上記第一の基板と第二の基板をネジにて固定するためのネジ穴を有する第八の基部とから形成され、
上記第二の基板は、上記固定部対の第二の溝に挿入される端部の間に幅方向に突出して電気信号を入出力する凸部を有し、上記第二の溝に挿入する先端の角が同第二の溝の凹部と干渉しないよう同第二の基板の先端の角が面取りされ、
上記第一の基板は、上記第一の溝に挿入する先端の角が同第一の溝の凹部と干渉しないよう同第一の基板の先端の角が面取りされ、上記第一の溝に挿入される端部の間に上記第二の基板の凸部が挿入する開口部を有し、上記凸部を同開口部に挿入することで電気的に接続するメスコネクタを供え、上記固定部対で上記第一の基板と上記第二の基板を厚み方向に段違いにネジ止めした際、上記メスコネクタは、上記固定部対にてネジ止めされた上記第二の基板の凸部が同メスコネクタの開口部に挿入するよう配置される構成である。
【０００９】
ようするに、本発明の液晶テレビジョンは、液晶パネルと、スピーカと、ディジタル処理を行う複数の回路を実装する第一の基板と、電源回路を実装する第二の基板と、メインフレームと、サブフレーム対と、シャーシと、筐体とを具備する。
【００１０】
上記した液晶テレビジョンの上記シャーシは、同シャーシから厚み方向に延設し、上記第一の基板と上記第二の基板とを厚み方向が同シャーシの厚み方向と同一になるよう横並びに配置する。そのため、上記シャーシは、上記第一の基板と上記第二の基板とが隣接する辺をネジ止めする固定部対と、上記固定部対にてネジ止めされない端部をネジ止めする４個の固定台座とを有する構造である。
【００１１】
上記固定部対は、上記シャーシの厚み方向に所定長だけ延設する第一の基部と、上記第一の基部の上記シャーシから延設する先端にて上記シャーシと略水平に所定長だけ延設する第二の基部と、上記第二の基部の上記第一の基部から延設する先端から厚み方向に延設する第三の基部と、上記第三の基部の上記第二の基部から延設する先端から上記シャーシと略水平に延設する第四の基部と、上記第四の基部の上記第三の基部から延設する先端から厚み方向に延設する第五の基部と、上記第五の基部の上記第四の基部から延設する先端から上記シャーシと略水平に延設する第六の基部とから形成される。
【００１２】
上記固定部対は、上記第二の基部と第三の基部と第四の基部とで上記第一の基板を挿入する第一の溝と、上記第四の基部と第五の基部と第六の基部とで上記第二の基板を挿入する第二の溝を形成する。さらに、上記固定部対は、上記第一の溝に挿入される上記第一の基板の端部と上記第一の基板と略反対方向から上記第二の溝に挿入される上記第二の基板の端部とが、段違いに重なるよう上記第一の溝と上記第二の溝とが形成され、上記固定部対に挿入される上記第一の基板の端部と上記第二の基板の端部とが重なる位置を共締めするよう上記第二の基部と上記第四の基部と上記第六の基部とにネジが貫通する貫通穴を有する構成である。また、上記第二の基部と上記第六の基部を貫通する貫通穴は、上記第一の基板と上記第二の基板とを共締めするネジと螺合するための雌ネジを有する。
【００１３】
上記固定台座は、上記シャーシの厚み方向から延設した第七の基部と、上記第七の基部の先端から上記シャーシと略水平に所定長だけ延設し、上記第一の基板と第二の基板をネジにて固定するためのネジ穴を有する第八の基部とから形成される。
【００１４】
上記第二の基板は、上記固定部対の第二の溝に挿入される端部の間に幅方向に突出して形成され電気信号を入出力する凸部を有し、上記第二の溝に挿入する先端の角が同第二の溝の凹部と干渉しないよう同第二の基板の先端の角が面取りされている。
【００１５】
上記第一の基板は、上記第一の溝に挿入する先端の角が同第一の溝の凹部と干渉しないよう同第一の基板の先端の角が面取りされている。また、上記固定部対の第一の溝に挿入される端部の間に上記第二の基板の凸部が挿入することで、電気的に接続するメスコネクタを供える構成である。そして、上記固定部対で上記第一の基板と上記第二の基板を厚み方向に段違いにネジ止めした際、上記メスコネクタは、同メスコネクタに凸部が挿入するよう配置され、上記第一の基板と第二の基板とを電気的に接続する。
【００１６】
また、請求項２に記載の発明は、２枚の基板をシャーシに固定する基板固定構造において、同シャーシから厚み方向に延設し、上記基板の厚み方向を同シャーシの厚み方向と同一になるよう固定する固定部対を有し、上記固定部対は、上記２枚の基板を上記シャーシの厚み方向に段違い挿入しつつ、一方の基板の挿入方向を他方の基板の挿入方向と略反対になるよう形成した二つの溝を有し、上記溝は、同溝に挿入される上記２枚の基板の端部が重なるよう溝の深さを有し、上記挿入された２枚の基板が重なる位置を共締めするようネジが貫通する貫通穴を有する構成である。
【００１７】
ようするに、本発明の基板固定構造のシャーシは、厚み方向に延設し上記基板の厚み方向を同シャーシの厚み方向と同一になるよう固定する固定部対を有する。上記固定部対は、上記２枚の基板を上記シャーシの厚み方向に段違い挿入しつつ、一方の基板の挿入方向を他方の基板の挿入方向と略反対になるよう形成した二つの溝を有している。上記した二つの溝は、同溝に挿入される上記２枚の基板の端部が断面上で重なるよう形成されている。そのため、上記挿入された２枚の基板が重なる位置をネジにて共締めする。
【００１８】
また、請求項３に記載の発明は、請求項２に記載の基板固定構造において、上記２枚の基板は、上記固定部対にてネジ止めされる端部の間に同基板の幅方向に突出して電気信号を入出力する凸部を有する基板と、上記固定部対にてネジ止めされる端部の間に上記凸部を同基板の厚み方向に挿入する開口部を有し基板からの電気信号を上記凸部に入出力するメスコネクタを有する基板とであって、上記２枚の基板が上記固定部対にて厚み方向に段違いにネジ止めされた際、上記メスコネクタは、上記固定部対にネジ止めされる基板の上記凸部が同メスコネクタの開口部に挿入される位置に配置される構成である。
【００１９】
ようするに、請求項２に記載の基板固定構造において、上記２枚の基板は、電気信号を受け渡すために、上記基板から電気信号を入出力する凸部を有する基板と、上記凸部が挿入する開口部を有し基板からの電気信号を上記凸部に入出力するメスコネクタを有する基板とである。上記２枚の基板が上記固定部対にてネジ止めされた際、上記固定部対の間で、上記メスコネクタの開口部に上記凸部が挿入することで上記２枚の基板は電気的に接続する。
【００２０】
また、請求項４に記載の発明は、請求項２または請求項３に記載の基板固定構造において、上記基板は、上記溝に挿入する先端の角が同第一の溝の凹部と干渉しないよう同第二の基板の先端の角が面取りされている構成である。
【００２１】
ようするに、請求項２または請求項３に記載の基板固定構造において、上記基板は、上記溝に挿入し易いよう上記基板の先端の角が面取りされている。
【発明の効果】
【００２２】
以上説明したように、請求項１、請求項２に記載の発明は、簡易な構造で、基板とシャーシを簡単に固定することができる。
また、請求項１、請求項３に記載の発明は、電気的なノイズの発生を抑えるので安定した基板の駆動をすることができる。
また、請求項１、請求項４に記載の発明は、簡易な構造で、基板とシャーシを適切に固定することができる。
【発明を実施するための最良の形態】
【００２３】
以下の項目に従って、本発明の一実施形態である液晶テレビジョンを説明する。
（１）液晶テレビジョンの説明
（２）基板固定構造の説明
（３）実施例
（４）まとめ
【００２４】
（１）液晶テレビジョンの説明。
図４は本発明の一実施形態である液晶テレビジョン１０の斜視図である。同図より、液晶テレビジョン１０は、液晶パネル１と、スピーカ２ａ、２ｂと、第一の基板３と、第二の基板４と、メインフレーム５と、サブフレーム対６ａ、６ｂと、シャーシ７と、筐体とから構成されている。
【００２５】
液晶パネル１は、駆動電圧の値によって分子の配列が変化する液晶物質を充填した画素をマトリクス状に配置し、背部にバックライト１ｂを備える構造である。上記構成により液晶パネル１は、上記液晶物質が充填された各画素の所定の電圧を印加することによって配列を変化させ、バックライト１ｂからの光を透過率を変化させることにより映像を表示する。
【００２６】
スピーカ２ａ、２ｂは、上記音声信号をユーザからの指示に基づいて増幅した後、電気信号を空気振動に変換することで音声を出力する。
【００２７】
第一の基板３は、チューナが受信するテレビジョン放送から映像信号と音声信号を生成し、上記映像信号を液晶パネルに出力し、上記音声信号をスピーカに出力するディジタル処理を行う複数の回路を実装する。また、第二の基板４は、外部電源を基に必要な電源を供給する電源回路を実装する。
【００２８】
図５は液晶テレビジョン１０のブロック構成図である。同図より、第一の基板３は、チューナ回路３ａと、クロマＩＣ回路３ｂと、映像信号処理部３ｃと、制御部３ｄとから構成されている。第二の基板４は、液晶テレビジョン１０を構成する各要素に必要な電源を供給するための電源回路等４ａを実装している。
【００２９】
チューナ回路３ａは、図示しないアンテナが受信したテレビジョン放送からユーザが指示した番組に対応するテレビジョン放送信号を受信し、上記テレビジョン放送信号から映像信号と音声信号を生成する。クロマＩＣ回路３ｂは、チューナ回路３ａにて生成された映像信号を映像信号処理部３ｃに出力し、上記音声信号をスピーカ２ａ、２ｂに出力する。
【００３０】
映像信号処理部３ｃは、上記入力された映像信号から１画面単位での映像のＲＧＢの各階調表現に対応する映像データを生成し、上記生成した映像データにガンマ補正等の信号処理を行う。
【００３１】
駆動回路１ａは、映像信号処理部３ｃが生成した一画面単位での映像データを液晶パネル１の表示画面の縦横の画素比に対応するように分割し、上記分割した映像データを基に水平走査で液晶パネル１に表示するための駆動電圧を生成する。
【００３２】
上記した各構成要素は、ＩＩＣバス１０ａにて接続されており、制御部３ｄは、ユーザがリモコンＩ／Ｆ３ｅを介してリモコン９にて出力した指示を基に、制御部３ｄ内のマイコンにより各要素を制御する。
【００３３】
メインフレーム５は、液晶パネル１を収容する凹部を有し、厚みの薄い枠状の構造である。メインフレーム５は、液晶パネル１のビューエリアを取り囲むように正面側と側面側に金属製の枠部が配置されつつ背面側を金属製のシールドパネルにて覆われている。 また、メインフレーム５の補強として、メインフレーム５の背面に柱状のサブフレーム対６ａ、６ｂが、ネジ止めされている。
【００３４】
筐体８は、フロントキャビネット８ａとバックキャビネット８ｂから構成されている。フロントキャビネット８ａは、前面に映像を表示するための開口部を有しており、液晶パネル１とシャーシ７とをネジ止めしたメインフレーム５と、スピーカ２ａ、２ｂとをフロントキャビネット８ａにネジ止めした後、フロントキャビネット８ａとバックキャビネット８ｂとをネジ止めすることにより液晶テレビジョン１０を構成する各構成品を収容する。
【００３５】
上記構成において、シャーシ７は、第一の基板３と第二の基板４とを固定して上記液晶パネル１の背面に位置するようメインフレーム５にネジ止めするために使用される。このとき、第一の基板３と第二の基板４の固定構造を工夫することにより、ネジの使用量を減らしつつ簡易な構造で基板とシャーシとを固定できるようにした。
【００３６】
（２）基板固定構造の説明
図１は本発明のシャーシの構成図である。同図より、シャーシ７は、第一の基板３と第二の基板４の厚み方向がシャーシ７の厚み方向と同一に横並びするようネジ止めする固定部対１１、１２を上下に有している。上記固定部対の両脇には、第一の基板３と第二の基板４の固定部対１１、１２にて固定されない端部をネジにて固定するための固定台座１３ａ、１３ｂ、１３ｃ、１３ｄが形成されている。上記構成において、第一の基板３と第二の基板４は、固定部対１１、１２にて隣接する部位をネジを用いて共締めされた後、第一の基板３を固定台座１３ａ、１３ｂにネジ止めし、第二の基板４を固定台座１３ｃ、１３ｄにネジ止めすることによりシャーシ７に固定する。
【００３７】
図２は固定部１１を拡大した図である。固定部対１１、１２は、形状が同一であるため、以下固定部１１についての説明のみ行う。固定部１１は、シャーシ７の厚み方向に所定長だけ延設する第一の基部１１ａと、第一の基部１１ａのシャーシ７から延設する先端にてシャーシ７と略水平に所定長だけ延設する第二の基部１１ｂと、第二の基部１１ｂの第一の基部１１ａから延設する先端から厚み方向に延設する第三の基部１１ｃと、第三の基部１１ｃの第二の基部１１ｂから延設する先端からシャーシ７と略水平に延設する第四の基部１１ｄと、第四の基部１１ｄの第三の基部１１ｃから延設する先端から厚み方向に延設する第五の基部１１ｅと、第五の基部１１ｅの第四の基部１１ｄから延設する先端からシャーシ７と略水平に延設する第六の基部１１ｆとから形成されている。
【００３８】
固定部１１は、第二の基部１１ｂと第三の基部１１ｃと第四の基部１１ｄとで、上記第一の基板３を挿入する第一の溝１４を形成する。さらに、第四の基部１１ｄと第五の基部１１ｅと第六の基部１１ｆとで第二の基板４を挿入するための第二の溝１５を形成する。第一の溝１４と第二の溝１５は第一の基板３と第二の基板４を厚み方向に段違いに挿入するとともに、第一の基板３の挿入方向と略反対方向に第二の基板４の端部周辺を挿入する。また、第一の溝１４と第二の溝１５は、第一の基板３と第二の基板４をそれぞれ挿入した際、第一の溝１４に挿入された第一の基板３の端部と、第二の溝１５に挿入された第二の基板４の端部が断面上で重なるよう溝の深さを有している。このため、固定部対１１、１２の断面はエス字形状をしている。
【００３９】
本発明の一実施形態である固定部対１１、１２の形成は、シャーシ７の一部を切り起こし、上記切り起こした片を屈曲することで第一の溝１４と第二の溝１５を形成している。第一の溝１４と第二の溝１５の幅Ｌ１、Ｌ２は第一の基板３と第二の基板４が挿入できるよう各基板の厚みより長く形成されればよい。また、固定部対１１、１２の形成は上記方法に限定されるものでなく上記構造を構成するものであればよい。
【００４０】
また、固定部１１は第一の溝１４と第二の溝１５に挿入される第一の基板３の端部と第二の基板４の端部とが段違いに重なる位置を共締めするようネジ１９が貫通する貫通穴１６ａ、１６ｂ、１６ｃを有している。第二の基部１１ｂと第六の基部１１ｆに形成される貫通穴１６ａと１６ｃは、ネジ１９と螺合する雌ネジ１７ａ、１７ｂを有している。また、第一の基板３と第二の基板４の端部には、貫通穴１６ａ、１６ｂ、１６ｃに対応する位置にネジ１９が貫通するための穴１８ａ、１８ｂが形成されている。
【００４１】
固定台座１３ａ、１３ｂ、１３ｃ、１３ｄは、シャーシ７の厚み方向から延設した第七の基部１３ａ１と、第七の基部１３ａ１の先端からシャーシ７と略水平に所定長だけ延設し、第一の基板３と第二の基板４をネジ止めするためのネジ穴１３ａ２を有する第八の基部１３ａ３とから形成される。
【００４２】
第一の基板３を固定する固定台座１３ａ、１３ｂはシャーシ７から延設する高さが固定部対１１、１２の第一の基部１１ａのシャーシ７から延設する先端と略同一の高さになるよう形成することで、第一の基板３を固定部対１１、１２と固定台座１３ａ、１３ｂにてネジ止めした際、第一の基板３がシャーシ７に対して略水平に配置される。同様に、第二の基板４をネジ止めする固定台座１３ｃ、１３ｄのシャーシ７から延設する高さを、固定部対１１、１２のシャーシ７から第三の基部１１ｃの第二の基部１１ｂから延設する先端の高さと同一にすることにより第二の基板４をシャーシ７と略水平に配置することができる。
【００４３】
上記構成の固定部１１、１２と固定台座１３ａ、１３ｂ、１３ｃ、１３ｄを用いて第一の基板３と第二の基板４とを固定する方法を説明する。まず、固定部１１の第一の溝１４に第一の基板３を挿入し、第二の溝１５に第二の基板４を挿入した後、ネジ１９を貫通穴１６ａ、１６ｂ、１６ｃに貫通させて第一の基板３と第二の基板４とを共締めする。次に、固定部１２にて同様に第一の基板３と第二の基板４とを共締めする。最後に、第一の基板３と第二の基板４の固定部対１１、１２にて固定されない両端を固定台座１３ａ、１３ｂ、１３ｃ、１３ｄを用いてネジ止めすることにより、第一の基板３と第二の基板４をシャーシ７に固定する。
【００４４】
（３）実施例
上記構成により本発明の一実施形態である液晶テレビジョン１０はシャーシ７に基板を固定するが、上記基板固定方法を利用して基板間を電気的に接続することにより、通常基板間の電気的な接続に使用されるジャンパー線を廃止することが可能である。ジャンパー線を廃止することにより配線から出る輻射ノイズを防止することができ、基板の駆動を正確に行うことが可能となる。
【００４５】
図３は本発明の一実施形態である第一の基板３と第二の基板４とをメスコネクタを用いて電気的に接続した図である。同図より、第二の基板４は、上記第一の基板３と電気信号を入出力するための凸部２０を有する構成である。凸部２０は、第二の基板４に実装される回路から出力される電気信号を第一の基板３に出力するとともに、必要に応じて第一の基板３からの電気信号を入力するためのものであり、凸部２０に形成される信号線から入出力される電気信号が後述する第一の基板３に備えられるメスコネクタ２１を介して第一の基板３に入出力される。
【００４６】
固定部対１１、１２の第一の溝１４に挿入される端部の間に、第二の基板４の凸部２０が挿入する開口部を備えるメスコネクタ２１を有する構成である。そして、固定部対１１、１２で第一の基板３と第二の基板４を厚み方向に段違いにネジ止めした際、メスコネクタ２１は、第二の基板４の凸部２０に対応する位置に配置され、第一の基板３と第二の基板４とを電気的に接続する。
【００４７】
また、第一の基板３と第二の基板４は、上記第一の溝１４と第二の溝１５に挿入する先端を上記各溝の奥まで挿入し易くなるよう先端の角に面取り２２、２３が施されている。第一の基板３と第二の基板４に面取り２２、２３を施すことにより、同第一の基板３と第二の基板４は第一の溝１４と第二の溝１５の奥まで挿入することができ、結果としてメスコネクタ２１に凸部２０を適切に挿入することが可能になる。
【００４８】
上記構成の第一の基板３と第二の基板４を電気的に接続する方法として、まず、第一の基板３と第二の基板４とを固定部対１１、１２の第一の溝１４と第二の溝１５に挿入させつつ、第二の基板４の凸部２０を第一の基板のメスコネクタ２１に挿入する。次に、第一の基板３と第二の基板４とを固定部対１１、１２にネジにて共締めする。最後に、第一の基板３と第二の基板４とを固定台座１３ａ、１３ｂ、１３ｃ、１３ｄにネジ止めすることで、シャーシ７に第一の基板３と第二の基板４とを固定する。
【００４９】
（４）まとめ
２枚の基板をシャーシに固定する基板固定構造において、同シャーシから厚み方向に延設し、上記基板の厚み方向を同シャーシの厚み方向と同一になるよう固定する固定部対を有し、上記固定部対は、上記２枚の基板を上記シャーシの厚み方向に段違いに挿入しつつ、一方の基板の挿入方向を他方の基板の挿入方向と略反対になるよう形成した二つの溝を有し、上記溝は、同溝に挿入される上記２枚の基板の端部が断面上で重なるよう溝の深さを有し、上記挿入された２枚の基板が重なる位置を共締めするようネジが貫通する貫通穴を有する。
【００５０】
また、請求項３に記載の発明は、請求項２に記載の基板固定構造であって、上記２枚の基板は、上記固定部対にてネジ止めされる端部の間に同基板の幅方向に突出して電気信号を入出力する凸部を有する基板と、上記固定部対にてネジ止めされる端部の間に上記凸部を同基板の厚み方向に挿入する開口部を有し基板からの電気信号を上記凸部に入出力するメスコネクタを有する基板とであって、上記２枚の基板が上記固定部対にて厚み方向に段違いにネジ止めされた際、上記メスコネクタは、上記固定部対にネジ止めされる基板の上記凸部が同メスコネクタの開口部に挿入される位置に配置される構成である。
【００５１】
ようするに、請求項２に記載の基板固定構造であって、上記２枚の基板は、上記固定部対にて共締めされた際、基板間がメスコネクタを介して電気的に接続する構成であって、電気的なノイズの発生を抑えるので安定した基板の駆動をすることができる。
【００５２】
また、請求項４に記載の発明は、請求項２または請求項３に記載の基板固定構造であって、上記基板は、上記溝に挿入する先端の角が同第一の溝の凹部と干渉しないよう同第二の基板の先端の角が面取りされている構成である。
【００５３】
ようするに、請求項２または請求項３に記載の基板固定構造であって、上記基板は、上記溝の奥まで挿入し易くするため挿入される先端の角が面取りされているので、簡易な構造で、基板とシャーシを適切に固定することができる。
【００５４】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること 
は本発明の一実施例として開示されるものである。 
【図面の簡単な説明】
【００５５】
【図１】シャーシの構成図である。
【図２】固定部を拡大した図である。
【図３】第一の基板と第二の基板をメスコネクタにより接続した図である。
【図４】液晶テレビジョンの斜視図である。
【図５】液晶テレビジョンのブロック構成図である。
【符号の説明】
【００５６】
１０…液晶テレビジョン
１１…固定部
１１ａ…第一の基部
１１ｂ…第二の基部
１１ｃ…第三の基部
１１ｄ…第四の基部
１１ｅ…第五の基部
１１ｆ…第六の基部
１２…固定部
１３ａ、１３ｂ、１３ｃ、１３ｄ…固定台座
１３ａ１…第七の基部
１３ａ２…ネジ穴
１３ａ３…第八の基部
１４…第一の溝
１５…第二の溝
１６ａ、１６ｂ、１６ｃ…貫通穴
１７ａ、１７ｂ…雌ネジ
１８ａ、１８ｂ…穴
１９…ネジ
２０…凸部
２１…メスコネクタ
２２、２３…面取り
【図１】
2007180751.tif 000003
【図２】
2007180751.tif 000004
【図３】
2007180751.tif 000005
【図４】
2007180751.tif 000006
【図５】
2007180751.tif 000007